(57)【要約】【課題】  香炉を使うときに発生する様々な制限を解決するために、二次電池及び商用ＡＣ１００Ｖで発熱するヒーターを設けた香炉を提供する。【解決手段】  焼香用香炉の炭の代用として炭とほぼ同一形状の二次電池及び商用ＡＣ１００Ｖで発熱するヒーターに既存の炭及び木炭を熱源とする香炉にも取り付けて、電気式ヒーターに改造可能なプレート（ヒーターを乗せる板）を付けたことを特徴とする。【選択図】図８
2007319658.tif 000002
【特許請求の範囲】
【請求項１】
焼香用香炉に使用する炭とほぼ同一形状をした金属のケースの中に絶縁物で被覆した印加する電圧に適した発熱線を内蔵したヒーター。
【請求項２】
既存の焼香用香炉にも取り付け可能な形状に加工できる請求項１記載のヒーターを乗せて固定する突起物が付いたプレート。
【請求項３】
請求項１記載のヒーターを設けた二次電池及び商用ＡＣ１００Ｖを電源とする香炉。
【請求項４】
香炉の内部に二次電池、電源スイッチ、電源表示灯、ヒューズ、タイマーを内蔵し、香炉の上部に温度ヒューズ及び請求項１記載のヒーターを設けた香炉。
【請求項５】
二次電池及び商用ＡＣ１００Ｖ電源を香炉の外部に設け内部に電源スイッチ、電源表示灯、ヒューズ、タイマーを内蔵し、香炉の上部に温度ヒューズ及び請求項１記載のヒーターを設けた香炉。
【請求項６】
二次電池及び商用ＡＣ１００Ｖ電源、電源スイッチ、電源表示灯、ヒューズ、タイマーを香炉の外部に設け、温度ヒューズ及び請求項１記載のヒーターを香炉の上部に設けた香炉。
【発明の詳細な説明】
【技術分野】
【０００１】  この発明は焼香用香炉の炭の代用として使用する電気ヒーターとそのヒーターの電源として二次電池及び商用ＡＣ１００Ｖを使用した香炉に関するものである。
【背景技術】
【０００２】  従来、斎場及びお寺等の焼香で使用している香炉の熱源としては、大部分が炭及び木炭であった。燃焼時間は３０分程度である。
炭及び木炭の上に香を落とし燃焼させ煙が立つ事が仏事として大切なことであり煙は勢い良く立つ事が供養になると言われている。
【発明の開示】
【発明が解決しようとする課題】
【０００３】  これには、次のような欠点があった。
環境条件によって、熱源（炭、木炭）の温度が香の燃焼する温度にならずに煙が立たずそのため、頻繁に炭、木炭を追加及び交換する必要があり大変苦労していた。
また、転倒及び消し忘れにより火災になることもあった。熱源として使用されている商用ＡＣ１００Ｖヒーターは発熱部が露出しているものが多く、ショート及び、電圧が高いことにより、感電事故の危険性があった。
電池で発熱するヒーター付香炉もパテント申請されているが、電池容量が不足している為に、香の煙が勢い良く立つ温度までにヒーターが発熱することが難しかった。加えて電池充電の為の電子回路を内蔵しなければならず構造が複雑であった。
電気ヒーターを熱源としている香炉は、ヒーターの形状が、炭と異なる形状をしている為に違和感があった。
電気で発熱するヒーターは、どれも断線等の不具合になった時の交換が簡単に行えないという欠点があった。また既存の炭、木炭を熱源とする香炉を改造して、電気ヒーター方式にすることができず不経済であった。
本発明は、以上のような欠点をなくすためになされたものである。
【課題を解決するための手段】
【０００４】  焼香用香炉に使用する炭と同一形状をした金属のケースの中に絶縁物で被覆した印加する電圧に適した発熱線を内蔵したヒーターをプレート（ヒーターを乗せる板）上に乗せ香炉の上部に設置する。プレートは既存の香炉の形状に合わせて製作することもできる。
香炉の構成は下記のようになる。
請求項１記載のヒーターを設けた二次電池及び商用ＡＣ１００Ｖを電源とする香炉。香炉の内部に二次電池、電源スイッチ、電源表示灯、ヒューズ、タイマーを内蔵し、香炉の上部に温度ヒューズ及び請求項１記載のヒーターを設けた香炉。二次電池のみを香炉の外部に設け内部に電源スイッチ、電源表示灯、ヒューズ、タイマーを内蔵し、上部に温度ヒューズ及び請求項１記載のヒーターを設けた香炉。二次電池、電源スイッチ、電源表示灯、ヒューズ、タイマーを香炉の外部に設け、温度ヒューズ及び請求項１記載のヒーターを上部に設けた香炉。香炉の内部に電源スイッチ、電源表示灯、ヒューズ及びタイマーを内蔵し、香炉の上部に温度ヒューズ及び請求項１記載の商用ＡＣ１００Ｖ用ヒーターを設けた香炉。電源スイッチ、電源表示灯、ヒューズ、タイマーを香炉の外部に設け、香炉の上部に温度ヒューズ及び請求項１記載の商用ＡＣ１００Ｖ用ヒーターを設けた香炉。
本発明は以上の構成よりなる香炉である。
【発明の効果】
【０００５】  構造がシンプルなために故障が少なく低価格で生産できる。香を直接ヒーターの上に落とすので、効率の良い燃焼ができ、炭、木炭を熱源にした場合より発熱部の温度が安定する事により香からは、必要量の煙が立つことが可能になる。ヒーター発熱線の巻数を変えて製造することにより発熱温度の設定が可能になる。ヒーターは香炉上部のプレートの上に乗っている状態で取り付けてあるため簡単に取外しができ、ヒーターを取り外しての掃除も簡単であるため、交換等の保守点検も容易に行うことができる。
ヒーターの形状が炭の形状とほぼ同一で、数回の使用で表面が炭と同じような色になり違和感がなく使用できる。発熱線を絶縁物で被覆し金属ケースに入れたので、ショート及び感電事故の危険から回避される。絶縁物にマイカを使用したため高温でも絶縁が安定し長期の使用が可能になった。
ヒーターが乗っているプレートの形状を既存の香炉に合わせて製作する事により熱源に炭、木炭を使用している香炉を電気ヒーター方式に容易に改造できて経済的である。【０００６】  二次電池内蔵式の香炉では、移動が自由にでき使い勝手が良い。また電池を充電することにより何度でも使用できる。二次電池の電源として、ＤＣ１２Ｖのシール鉛蓄電池２台を直列に接続したＤＣ２４Ｖ／１．５Ａｈ電源を推奨する。電池の充電は、市販の自動車用バッテリーチャージャーを利用する為、香炉内部には複雑な充電のための電気回路を内蔵する必要がなく、価格も安く故障の少ない構造となる。ヒーターに互換性があるため電源を内蔵電池から、同一電圧の外部の大容量の二次電池に接続を変えることによって、より長い時間、香を最適な温度で燃焼する事が可能になる。【０００７】下記に評価試験時のヒーターの表面温度変化を記載する。周囲温度：１５〜３０℃の場合
鉛シール二次電池（ＤＣ２４Ｖ／１．５Ａｈ）を使用すると、２分以内に香が立つ最低温度約２００℃になり、５分以内で最適温度３００℃以上になる。
その後５分で、約３５０℃になり約４０分間継続する。その後徐々に温度は下がり約６０分後に周囲温度に近い温度になる。
商用ＡＣ１００Ｖ電源を使用すると、２分以内に香が立つ最低温度約２００℃になり５分以内で最適温度３００℃以上になる。その後４００℃前後で安定し電源を切るまで継続する。
【発明を実施するための最良の形態】
【０００８】  以下、本発明を実施するための最良の形態について説明する。
ヒーターは、（３）の発熱線を（２）のマイカ製絶縁物で被覆し（１）の金属ケースに内蔵する。ヒーター（６）はプレート（７）に乗せて香炉の上部に設置する。プレート（７）の下部に温度ヒューズ（８）を設置する。
請求項４では、二次電池（９）、電源スイッチ（１３）、電源表示灯（１５）、ヒューズ（１１）（１２）及び、タイマー（１６）を香炉の中に内蔵する電池内蔵型である。
請求項５では、二次電池（９）及び商用ＡＣ１００Ｖ電源のみを香炉の外部に設置する。
請求項６では、ヒーター（６）、温度ヒューズ（８）以外を香炉の外部に設置する。
本発明は、以上のような構造である。たとえば焼香時に香炉を移動する場合及びお墓での焼香に使用の場合は、電池内蔵型の本発明を選択し、斎場内で焼香台があり香炉を固定して使用する場合は、電源別置きの本発明を選択して使用することができる。
【図面の簡単な説明】
【０００９】
【図１】  本発明のヒーターの断面図
【図２】  本発明のヒーターの上面平面図
【図３】  本発明のヒーターの裏面平面図
【図４】  本発明のヒーターの正面図
【図５】  本発明のヒーターの他の実施例の上面平面図
【図６】  本発明のヒーターの他の実施例の正面図
【図７】  本発明のプレートにヒーターが乗った状態の正面図
【図８】  本発明の電池内蔵型の分解斜視図
【図９】  本発明の二次電池を香炉内に内蔵した場合の回路図
【図１０】  本発明の電源部を香炉の外部に設置した場合の回路図
【図１１】  本発明の二次電池内蔵の四角型香炉の平面図
【図１２】  本発明の二次電池内蔵の四角型香炉の断面図
【図１３】  本発明の他の実施例の平面図
【図１４】  本発明の他の実施例の断面図
【図１５】  本発明の他の実施例の平面図
【図１６】  本発明の他の実施例の正面図
【符号の説明】
【００１０】  １  ヒーターの金属ケース
２  マイカ製絶縁体
３  発熱体
４  リード線
５  ヒーター用コネクター
６  ヒーター
７  プレート（ヒーターを乗せる板）
８  温度ヒューズ
９  二次電池
１０  ＡＣ１００Ｖ電源
１１  充電側ヒューズ
１２  ヒーター側ヒューズ
１３  二次電池内蔵式の電源スイッチ
１４  電源別置きの電源スイッチ
１５  電源表示灯
１６  タイマー
１７  充電用端子（＋）
１８  充電用端子（−）
１９  電源端子（＋）（電池別置き）
２０  電源端子（−）（電池別置き）
２１  電源端子（ＡＣ１００Ｖ）
２２  香炉ケース（上部）
２３  香炉ケース（下部）
２４  香炉（形状：四角型）
２５  香炉（形状：丸型）
２６  香炉（形状：竹型）
【図１】
2007319658.tif 000003
【図２】
2007319658.tif 000004
【図３】
2007319658.tif 000005
【図４】
2007319658.tif 000006
【図５】
2007319658.tif 000007
【図６】
2007319658.tif 000008
【図７】
2007319658.tif 000009
【図８】
2007319658.tif 000010
【図９】
2007319658.tif 000011
【図１０】
2007319658.tif 000012
【図１１】
2007319658.tif 000013
【図１２】
2007319658.tif 000014
【図１３】
2007319658.tif 000015
【図１４】
2007319658.tif 000016
【図１５】
2007319658.tif 000017
【図１６】
2007319658.tif 000018